(57)【要約】【課題】気化器の圧力制御および流量制御を適正に行って気化器の運転台数が不必要に変化することなく良好な台数制御が可能となり、また、流量制御時の流量調節弁も良好な制御動作が可能となると共に、各軸の起動停止、負荷遮断、所内単独等のどのケースにおいても減圧弁の出口圧力を使用圧力範囲に容易に収めることができる液化燃料ガスの気化器・減圧弁の制御方法と、気化器の制御装置を提供する。【解決手段】本発明に係る液化燃料ガスの気化器の制御方法は、液化燃料ガスを気化させて燃料ガスを送出する気化器の運転台数または流量調節弁の制御対象として、火力発電設備の燃料流量要求指令を使用する。また、液化燃料ガスの減圧弁の制御方法は、火力発電設備にける燃料ガスの消費量に応じて変化する減圧弁の出口圧力を制御する制御対象として、火力発電設備の燃料流量要求指令を使用する。【選択図】図１
2006040067.tif 000002
【特許請求の範囲】
【請求項１】
液化燃料ガスを気化させて燃料ガスを送出する気化器の運転台数または流量調節弁の制御対象として、火力発電設備の燃料流量要求指令を使用することを特徴とした液化燃料ガスの気化器の制御方法。
【請求項２】
火力発電設備における燃料ガスの消費量に応じて変化する減圧弁の出口圧力を制御する制御対象として、火力発電設備の燃料流量要求指令を使用することを特徴とした液化燃料ガスの減圧弁の制御方法。
【請求項３】
運転中の気化器の最大気化量に対する火力発電設備における燃料ガス消費量の差をとり、その結果の比較に基づいて、気化器の制御装置が運転停止中の気化器の中の予め設定された所定の条件に従って１台を選択して気化器起動指令を出力するか、或いは、気化器の制御装置が運転中の気化器の中から予め設定された所定の条件に従って１台を選択して気化器停止指令を出力する気化器の制御方法であって、運転中の気化器の定格流量に対する火力発電設備における燃料ガスの燃料流量要求指令の差が所定の第１の閾値よりも小さい場合、気化器起動指令を出力する一方、この差が所定の第２の閾値よりも大きい場合、気化器停止指令を出力することを特徴とした液化燃料ガスの気化器の制御方法。
【請求項４】
火力発電設備からの燃料流量要求指令を受けてから、この燃料流量要求指令値を自動運転中の気化器台数で割って気化器１台当たりの必要流量を求め、気化器の必要流量に対する気化器の入口流量の偏差を求め、この偏差に対する流量調節弁の開度指令を出力する請求項３に記載の液化燃料ガスの気化器の制御方法。
【請求項５】
火力発電設備が、コンバインド火力発電設備である請求項１、請求項３または４のいずれかに記載の液化燃料ガスの気化器の制御方法。
【請求項６】
火力発電設備が、コンバインド火力発電設備である請求項２に記載の液化燃料ガスの減圧弁の制御方法。
【請求項７】
気化器の制御装置において、運転中の気化器の最大気化量に対する火力発電設備における燃料ガス消費量の差をとる減算器、その結果を比較するコンパレータにより運転停止中の気化器の中の予め設定された所定の条件に従って１台を選択し、気化器起動指令を出力する起動器選択回路、運転中の気化器の中から予め設定された所定の条件に従って１台を選択し、気化器停止指令を出力する停止器選択回路のそれぞれから成る主制御部を備え、前記コンパレータは、運転中の気化器の定格流量に対する火力発電設備における燃料ガスの燃料流量要求指令の差が所定の第１の閾値よりも小さい場合、気化器起動指令を出力する一方、この差が所定の第２の閾値よりも大きい場合、気化器停止指令を出力することを特徴とした液化燃料ガスの気化器の制御装置。
【請求項８】
自動運転中の気化器台数で割って気化器１台当たりの必要流量を求める割り算器、気化器の必要流量に対する気化器の入口流量の偏差を求める減算器に加え、この偏差に対する流量調節弁の開度指令を出力するための比例動作、積分動作、微分動作それぞれを合わせた特性を備えて成るＰＩＤを備え、火力発電設備からの燃料流量要求指令を受けてから、この燃料流量要求指令値を割り算器でもって自動運転中の気化器台数で割って気化器１台当たりの必要流量を求め、減算器で気化器の必要流量に対する気化器の入口流量の偏差を求め、ＰＩＤでこの偏差に対する流量調節弁の開度指令を出力する請求項７に記載の液化燃料ガスの気化器の制御装置。
【請求項９】
火力発電設備が、コンバインド火力発電設備である請求項７または８に記載の液化燃料ガスの気化器の制御装置。
【発明の詳細な説明】
【技術分野】
【０００１】
本発明は、火力発電所に天然ガスを送出している液化天然ガス基地において、液化天然ガス（以下、ＬＮＧと称す）を含む液化燃料ガスを気化する気化器の運転台数およびその流量調節弁の制御と、気化したＬＮＧを減圧して送り出す減圧弁を制御する、液化燃料ガスの気化器・減圧弁の制御方法と、気化器の制御装置に関するものである。
【背景技術】
【０００２】
従来より、ＬＮＧ基地から供給される天然ガスを燃料として電力を発生させる火力発電所が存在する。
【０００３】
このような火力発電所として、高圧の天然ガスを燃焼させることによりガスタービンを回転させ、燃焼後の排ガスの余熱を利用して蒸気を発生させて蒸気タービンを回転させる、所謂コンバインド火力発電設備がある。
【０００４】
このようなコンバインド火力発電設備では、燃料となるＬＮＧが専用タンカー等を用いて海外から運搬され、ＬＮＧ基地の専用のタンクに貯蔵される。そして、ＬＮＧは、気化器を通過することで、気化した状態となる。具体的には、ＬＮＧが気化器内のパイプを通過する際に、パイプの周囲に大量に送り込んだ海水の熱により極低温の液体であるＬＮＧが温められて気化し、常温の天然ガスとなって電力燃料として使用されるのである。
【０００５】
最新のコンバインド火力発電設備においては、高圧のＬＮＧを気化させ、減圧弁を介して気化したＬＮＧを減圧した状態で供給している。この減圧弁は、気化器により気化させた天然ガスを、コンバインド火力発電設備の使用圧力に応じて減圧するのである。そして、減圧弁の出口圧力は、火力発電所における天然ガスの消費量に応じて変化し、減圧弁の制御装置は、この圧力を制御している。具体的には、減圧弁の制御装置は、火力発電所のタービン回転数が上昇し、
或いは、発電出力上昇に伴い、天然ガスの消費量が増大して減圧弁の出口圧力が低下すると、減圧弁の出口圧力を上昇させるように減圧弁を開動作させる。逆に、減圧弁の出口圧力が上昇すると、減圧弁制御装置は、減圧弁を閉動作することにより、減圧弁の出口圧力の値を一定に保持する。
【０００６】
この他、このような火力発電所に天然ガスを供給しているＬＮＧ基地は、気化器によりＬＮＧを気化させ、その結果得られた天然ガスを、火力発電所の消費量に応じて供給している。このようなＬＮＧ基地には、複数の気化器が設けられており、それぞれの気化器は、海水ポンプにより汲み上げられた海水により、約−１６２℃程度のＬＮＧを気化させている。そして、気化したＬＮＧを送出する主管の送出圧力と、主管におけるＬＮＧの流量は、火力発電所における天然ガスの消費量に応じて変化する。具体的には、気化器の制御方法により、主管圧力による圧力制御と主管流量による流量制御に分かれる。
【０００７】
この圧力制御は、火力発電所の出力が上昇し、天然ガスの消費量が増大して主管圧力が低下すると、気化器の制御装置は、各気化器のＬＮＧの気化量を増大させるように各気化器を制御する。この場合、気化器の制御装置は、気化器の入口流量の増加の度合いにより、自動停止中の気化器を稼動させる。一方、運転中の気化器により主管圧力の低下に対応できると判断した場合は、各気化器の入口側に設けられているＬＮＧの流量を調節する流量調節弁を開く方向に制御することにより、各気化器が排出する天然ガスの流量を増大させる。この結果、各気化器によりＬＮＧの気化量が増大し、主管圧力が上昇する。逆に、主管圧力が上昇した場合は、気化器の制御装置は、運転中の気化器を停止させるか、或いは、流量調整弁を閉じる方向に制御することにより、主管圧力の値を一定に保持する。
【０００８】
また、流量制御は、火力発電所の出力が上昇し、天然ガスの消費量が増大して主管流量が増大すると、気化器の制御装置は、各気化器によりＬＮＧの気化量を増大させるように各気化器を制御する。この場合、気化器の制御装置は、主管流量の増加の度合いにより自動停止中の気化器を稼動させる。
【０００９】
一方、運転中の気化器により主管流量が確保できると判断した場合は、各気化器の入口側に設けられているＬＮＧの流量を調節する流量調節弁を開く方向に制御することにより、各気化器が排出する天然ガスの流量を増大させる。逆に、火力発電所の天然ガス流量が減少すると、気化器の制御装置は、運転中の気化器を停止させるか、或いは、流量調整弁を閉じる方向に制御する。
【００１０】
そして、従来の蒸気タービンを回転させる方式の火力発電所は、需要電力の変化に対する応答が穏やかであったため、天然ガスの消費量が急激に変化することは殆どなかった。これに対し、タービン数（軸数）が多く、電力需要量に応じて素早く応答することが可能なコンバインド火力発電設備は、天然ガスの消費量変化が急峻であり、オーバーシュート、或いは、アンダーシュートを伴った変化となる。
【００１１】
また、従来の気化器の制御装置は、運転中の気化器の最大気化量に対する火力発電所における天然ガスの消費量の差と、予め決定さている閾値との単純な大小関係により、気化器の運転台数を決定していた。そのため、オーバーシュート、或いは、アンダーシュートが生じた場合において、気化器の運転台数を不必要に変化させていた。その結果、海水を汲み上げる海水ポンプが不必要に運転される場合があり、これによりＬＮＧ基地の消費電力を増大させるという問題点があった。
【００１２】
このような問題点を解決すべく特許文献１に開示されているように、気化器の制御対象である天然ガス消費量がオーバーシュート、或いは、アンダーシュートとなる防止策として、タービンとしての軸の運転台数から、必要となる気化器の運転台数を求め、従来の気化器の制御方法に、気化器の自動起動・停止の許容条件を追加することにより、天然ガス消費量のオーバーシュート、或いは、アンダーシュートにおける気化器の運転台数を不必要に変化させないようにする気化器の台数制御装置が提案されている。
【００１３】
この気化器の台数制御装置は、図５に示すように、運転中の気化器の台数を計数する計数装置１０１，１０２、各々入力された各計数結果と予め設定された所定の閾値とに基づいて所定の出力電圧を出力するコンパレータ１０３，１０４、コンパレータ１０３，１０４の出力信号をそれぞれ入力して全ての論理和の結果を信号として出力するＡＮＤゲート１０５〜１０８、前記論理和の積をとりその結果を出力するＯＲゲート１０９、入力された信号を反転させて出力するＮＯＴゲート１１０によって構成された台数制御部を備えている。
【００１４】
また、気化器制御装置において、運転中の気化器の最大気化量（気化器に流入される海水流量とその温度から各気化器毎に求められる変動値）に対する火力発電設備における天然ガス消費量の差をとる減算器１１１、その結果を比較するコンパレータ１１２、コンパレータ１１２から出力された信号と台数制御部からの出力との論理和をとるＡＮＤゲート１１３，１１４、起動停止中の気化器の中の予め設定された所定の条件に従って１台を選択し、気化器起動指令を出力する起動器選択回路１１５、運転中の気化器の中から予め設定された所定の条件に従って１台を選択し、気化器停止指令を出力する停止器選択回路１１６により構成された主制御部を備えている。このとき、閾値は、発電所における天然ガス消費量が、運転中の気化器の最大気化量を超えないような最適制御範囲に設定される。
【特許文献１】特許第３４３８３７０号公報
【発明の開示】
【発明が解決しようとする課題】
【００１５】
しかしながら、上述した気化器の台数制御装置は、コンバインド火力発電設備の定格出力における燃料流量を固定とし、それにより、気化器の必要台数を求めているが、コンバインド火力発電設備は、負荷変動もするし、また、季節により定格出力が変動するため、燃料流量が常に固定になるとは限らない。その結果、軸の運転台数に対する気化器の必要台数にずれが生じてしまう。そして、気化器の自動起動・停止許容条件が適正でなくなり、天然ガス消費量のオーバーシュート、或いは、アンダーシュートにおいて、気化器の運転台数を不必要に変化させてしまう。
【００１６】
例えば、コンバインド火力発電設備において、１軸あたりの定格出力の燃料流量を４５ｔ／ｈ、気化器の定格流量を１８０ｔ／ｈとして、気化器２台目の自動起動許容条件を４軸以上の運転（４５×４＝１８０ｔ／ｈ）、気化器２台目の起動の閾値を１８０ｔ／ｈとした場合、季節変動および性能低下により１軸あたりの定格出力が下がり、燃料流量が４３ｔ／ｈになった場合、５軸以上の運転（４３×４＝１７２ｔ／ｈ）で気化器２台目の自動起動許容条件にすれば良いところ、４軸以上の運転としているため、４軸目が起動し、出力の上昇過程で天然ガス消費量がオーバーシュートし、１８０ｔ／ｈを超えた場合は、気化器２台目の起動となる。また、天然ガス流量が制定し、１７２ｔ／ｈとなっても、自動停止許容条件が成立していないため、気化器が１台停止とはならない。そのため、図６に示すように、気化器１台の過剰運転となる。
【００１７】
また、気化器の流量制御方法の内、運転中の気化器により流量を確保できると判断した場合、各気化器の入口側に設けられている流量調節弁により天然ガス流量を調節するが、天然ガス消費量がオーバーシュート、或いは、アンダーシュートした場合、制御対象である主管流量も同様の挙動となることから、流量調節弁はハンチング動作となる。
【００１８】
さらに、コンバインド火力発電設備の使用圧力は、非常に狭い圧力範囲であり、起動・停止および緊急動作の負荷遮断、所内単独等のいずれにおいても使用圧力範囲に収める必要がある。そのため、従来の制御装置は、図７に示すように、コンバインド火力に追従できるように減圧弁出口の圧力制御に天然ガス消費量（減圧弁の出口流量）の先行制御指令を加算した制御としているが、天然ガス消費量は、コンバインド火力の動作に対して非常に大きな遅れが生じることから、減圧弁の出口圧力をコンバインド火力発電設備の使用圧力範囲に収めるには、行き過ぎた調整になったり、逆に、応答性が遅くなる調整となっていた。
【００１９】
そこで、本発明は如上のような従来存した諸事情に鑑み創出されたもので、気化器の圧力制御および流量制御を適正に行って気化器の運転台数が不必要に変化することなく良好な台数制御が可能となり、また、流量制御時の流量調節弁も良好な制御動作が可能となると共に、各軸の起動停止、負荷遮断、所内単独等のどのケースにおいても減圧弁の出口圧力を使用圧力範囲に容易に収めることができる液化燃料ガスの気化器・減圧弁の制御方法と、気化器の制御装置を提供することを目的とする。
【課題を解決するための手段】
【００２０】
本発明に係る液化燃料ガスの気化器の制御方法は、液化燃料ガスを気化させて燃料ガスを送出する気化器の運転台数または流量調節弁の制御対象として、火力発電設備の燃料流量要求指令を使用することで、上述した課題を解決した。
【００２１】
また、本発明に係る液化燃料ガスの減圧弁の制御方法についても、火力発電設備における燃料ガスの消費量に応じて変化する減圧弁の出口圧力を制御する制御対象として、火力発電設備の燃料流量要求指令を使用することで、同じく上述した課題を解決した。
【００２２】
さらに、本発明に係る液化燃料ガスの気化器の制御方法は、運転中の気化器の最大気化量に対する火力発電設備における燃料ガス消費量の差をとり、その結果の比較に基づいて、気化器の制御装置が運転停止中の気化器の中の予め設定された所定の条件に従って１台を選択して気化器起動指令を出力するか、或いは、気化器の制御装置が運転中の気化器の中から予め設定された所定の条件に従って１台を選択して気化器停止指令を出力する気化器の制御方法であって、運転中の気化器の定格流量に対する火力発電設備における燃料ガスの燃料流量要求指令の差が所定の第１の閾値よりも小さい場合、気化器起動指令を出力する一方、この差が所定の第２の閾値よりも大きい場合、気化器停止指令を出力することで、同じく上述した課題を解決した。
【００２３】
また、火力発電設備からの燃料流量要求指令を受けてから、この燃料流量要求指令値を自動運転中の気化器台数で割って気化器１台当たりの必要流量を求め、気化器の必要流量に対する気化器の入口流量の偏差を求め、この偏差に対する流量調節弁の開度指令を出力することで、同じく上述した課題を解決した。
【００２４】
加えて、火力発電設備が、コンバインド火力発電設備であることで、同じく上述した課題を解決した。
【００２５】
また、本発明に係る液化燃料ガスの減圧弁の制御方法についても、火力発電設備が、コンバインド火力発電設備であることで、同じく上述した課題を解決した。
【００２６】
一方、本発明に係る液化燃料ガスの気化器の制御装置において、運転中の気化器の最大気化量に対する火力発電設備における燃料ガス消費量の差をとる減算器、その結果を比較するコンパレータにより運転停止中の気化器の中の予め設定された所定の条件に従って１台を選択し、気化器起動指令を出力する起動器選択回路、運転中の気化器の中から予め設定された所定の条件に従って１台を選択し、気化器停止指令を出力する停止器選択回路のそれぞれから成る主制御部を備え、前記コンパレータは、運転中の気化器の定格流量に対する火力発電設備における燃料ガスの燃料流量要求指令の差が所定の第１の閾値よりも小さい場合、気化器起動指令を出力する一方、この差が所定の第２の閾値よりも大きい場合、気化器停止指令を出力することで、同じく上述した課題を解決した。
【００２７】
また、自動運転中の気化器台数で割って気化器１台当たりの必要流量を求める割り算器、気化器の必要流量に対する気化器の入口流量の偏差を求める減算器に加え、この偏差に対する流量調節弁の開度指令を出力するための比例動作、積分動作、微分動作それぞれを合わせた特性を備えて成るＰＩＤを備え、火力発電設備からの燃料流量要求指令を受けてから、この燃料流量要求指令値を割り算器でもって自動運転中の気化器台数で割って気化器１台当たりの必要流量を求め、減算器で気化器の必要流量に対する気化器の入口流量の偏差を求め、ＰＩＤでこの偏差に対する流量調節弁の開度指令を出力することで、同じく上述した課題を解決した。
【００２８】
さらに、火力発電設備が、コンバインド火力発電設備であることで、同じく上述した課題を解決した。
【発明の効果】
【００２９】
本発明は、以上のように構成されているために、気化器の圧力制御および流量制御を適正に行って気化器の運転台数が不必要に変化することなく良好な台数制御が可能となり、また、流量制御時の流量調節弁も良好な制御動作が可能となると共に、各軸の起動停止、負荷遮断、所内単独等のどのケースにおいても減圧弁の出口圧力を使用圧力範囲に容易に収めることができる。
【発明を実施するための最良の形態】
【００３０】
以下に、本発明を実施するための最良の形態を、図面を参照して説明する。本発明に係る液化天然ガスを含む液化燃料ガスの気化器の制御方法は、制御対象として、天然ガス消費量や主管流量ではなく、コンバインド火力発電設備の燃料流量要求指令を採用している。この燃料流量要求指令は、オーバーシュート、或いは、アンダーシュートが生じることなく、気化器の台数を適正に制御するものである。
【００３１】
液化天然ガスの気化器の制御装置の具体的な構成としては、図１に示すように、主制御部は、運転中の気化器の最大気化量（気化器に流入される海水流量とその温度から各気化器毎に求められる変動値）に対する火力発電設備における天然ガス消費量の差をとる減算器１、その結果を比較するコンパレータ２、起動停止中の気化器の中の予め設定された所定の条件に従って１台を選択し、気化器の制御装置に気化器起動指令を出力する起動器選択回路３、運転中の気化器の中から予め設定された所定の条件に従って１台を選択し、気化器の制御装置に気化器停止指令を出力する停止器選択回路４により構成されている。
【００３２】
このときコンパレータ２は、運転中の気化器の定格流量に対する火力発電設備における天然ガスの燃料要求指令の差が所定の第１の閾値よりも小さい場合、気化器起動指令を出力するよう、出力端ａ１のみＨ（ハイ）電圧を出力する。一方、この差が所定の第２の閾値よりも大きい場合、気化器停止指令を出力するよう、出力端ａ２のみＨ（ハイ）電圧を出力する。
【００３３】
また、気化器の制御装置における流量調節弁の制御方法は、この流量調節弁の制御対象としての主管流量ではなく、コンバインド火力発電設備の燃料流量要求指令に基づいて制御している。この燃料流量要求指令は、オーバーシュート、或いは、アンダーシュートが生じることなく、流量調節弁の制御動作をスムーズに行わせるものである。
【００３４】
流量調節弁の制御装置の具体的な構成としては、図２に示すように、自動運転中の気化器台数で割って気化器１台当たりの必要流量を求める割り算器１１、気化器の必要流量に対する気化器の入口流量の偏差を求める減算器１２に加え、この偏差に対する流量調節弁の開度指令を出力するための比例動作、積分動作、微分動作それぞれを合わせた特性を備えて成る制御器であるＰＩＤ１３を備えており、ＰＩＤ１３は流量調節弁１４に接続されている。
【００３５】
次に、以上のように構成された本発明を実施するための最良の形態について、動作の一例を説明する。
【００３６】
まず、図２に示すように、気化器制御装置は、コンバインド火力発電設備から燃料流量要求指令を受けてから、この要求された燃料流量要求指令値を割り算器１１でもって自動運転中の気化器台数で割って気化器１台当たりの必要流量を求める。次に、減算器１２で気化器の必要流量に対する気化器の入口流量の偏差を求める。そして、ＰＩＤ１３でこの偏差に対する流量調節弁１４の開度指令を出力する。
【００３７】
例えば、ある火力発電設備における３軸定格出力、１軸起動（１軸定格出力における流量が４４ｔ／ｈ）、気化器定格流量が１８０ｔ／ｈにおいて、気化器の圧力制御および流量制御ともに気化器の運転台数が不必要に変化することなく、良好な台数制御となった。また、流量制御時の流量調節弁も、良好な制御動作となった。
【００３８】
一方、液化天然ガスを含む液化燃料ガスの減圧弁の制御方法は、火力発電所における天然ガスの消費量に応じて変化する減圧弁の出口圧力を制御する減圧弁制御の制御対象として、減圧弁の出口流量ではなく、コンバインド火力発電設備の燃料流量要求指令を採用している。このとき、減圧弁の制御装置の具体的な構成としては、図３に示すように、減圧弁の出口圧力設定に対する減圧弁の出口圧力の偏差を求める減算器２１、偏差に対する減圧弁の開度指令を出力するＰＩＤ２２、減圧弁出口流量からの先行制御開度指令を偏差による開度指令に足し算する加算器２３、減圧弁の出口流量を開度に変換するＦＸ２４、燃料要求指令をｔ／ｈに変換するＦＸ２５のそれぞれを備え、加算器２３は減圧弁２６に接続してある。このとき、コンバインド火力発電設備から受け取った燃料要求指令値を、ＦＸ２５でｔ／ｈに変換し、次に、ＦＸ２４で開度に変換された後、偏差による開度指令に対する先行制御指令として加算器２３に送られるものである。
【００３９】
この燃料流量要求指令は、コンバインド火力の動作に対して遅れが生じないことから、減圧弁の出口圧力を適正に制御し、コンバインド火力発電設備の使用圧力範囲に収められるものとなる。例えば、ある火力発電設備において、各軸の起動停止、負荷遮断、所内単独等のどのケースにおいても、減圧弁の出口圧力を使用圧力範囲（±０．１５ＭＰａ）に収められるものとなった。
【００４０】
その中で、減圧弁の出口圧力を静定させるのに一番厳しい負荷遮断試験の結果を示すと、ある火力発電設備において、試験運転（一軸運転）では、１／４負荷遮断で圧力偏差最大が＋０．００３ＭＰａ／−０ＭＰａ、２／４負荷遮断で圧力偏差最大が＋０ＭＰａ／−０．０２３ＭＰａ、３／４負荷遮断で圧力偏差最大が＋０．０２ＭＰａ／−０ＭＰａ、４／４負荷遮断で圧力偏差最大が＋０．００７ＭＰａ／−０．０２４ＭＰａとなる。
【００４１】
また、ある火力発電設備において、試験運転（二軸運転）では、１／４負荷遮断で圧力偏差最大が＋０ＭＰａ／−０．０４ＭＰａ、２／４負荷遮断で圧力偏差最大が＋０．００７ＭＰａ／−０．００４ＭＰａ、３／４負荷遮断で圧力偏差最大が＋０．０１３ＭＰａ／−０．０１４ＭＰａ、４／４負荷遮断で圧力偏差最大が＋０．０１７ＭＰａ／−０．００７ＭＰａとなる。
【産業上の利用可能性】
【００４２】
本発明は、液化天然ガスを含む液化燃料ガスを気化する気化器の運転台数およびその流量調節弁の制御と、気化したＬＮＧを減圧して送り出す減圧弁を制御する、液化燃料ガスの気化器・減圧弁の制御方法と、気化器の制御装置として、種々の火力発電所や、火力発電所に天然ガスを送出する液化天然ガス基地において、広く利用することが可能である。
【図面の簡単な説明】
【００４３】
【図１】本発明を実施するための最良の形態における気化器の制御装置の構成を示したブロック構成図である。
【図２】流量調節弁の制御装置の構成を説明したブロック構成図である。
【図３】減圧弁の制御装置の構成を説明したブロック構成図である。
【図４】従来例における気化器の構成を説明した概念図である。
【図５】従来例における気化器の制御装置の構成を説明したブロック構成図である。
【図６】気化器１台の過剰運転を示した概略説明図である。
【図７】従来例における減圧弁の制御装置の構成を説明したブロック構成図である。
【符号の説明】
【００４４】
１…減算器                        ２…コンパレータ
３…起動器選択回路                ４…停止器選択回路
１１…割り算器                    １２…減算器
１３…ＰＩＤ                      １４…流量調節弁
２１…減算器                      ２２…ＰＩＤ
２３…加算器                      ２４…ＦＸ
２５…ＦＸ                        ２６…減圧弁
１０１…計数装置                  １０２…計数装置
１０３…コンパレータ              １０４…コンパレータ
１０５…ＡＮＤゲート              １０６…ＡＮＤゲート
１０７…ＡＮＤゲート              １０８…ＡＮＤゲート
１０９…ＯＲゲート                １１０…ＮＯＴゲート
１１１…減算器                    １１２…コンパレータ
１１３…ＡＮＤゲート              １１４…ＡＮＤゲート
１１５…起動器選択回路            １１６…停止器選択回路
【図１】
2006040067.tif 000003
【図２】
2006040067.tif 000004
【図３】
2006040067.tif 000005
【図４】
2006040067.tif 000006
【図５】
2006040067.tif 000007
【図６】
2006040067.tif 000008
【図７】
2006040067.tif 000009